(57)【要約】【課題】従来、左肩ひねりと右肩ひねりを行なうものがあるが、本発明はこれとは異なり、腰と臀部を含む部分全体を一方側から積極的に持ち上げるようにして、腰の付け根に集中的に掛かるねじり負担を軽減しつつ、腰から左右の背筋部分に至るねじりを与えたストレッチ運動が得られるようにするストレッチマット装置を提供する。【解決手段】空気吸排気装置の動作によってそれぞれ独立して膨張収縮する複数のエアーバッグは、少なくとも肩部エアーバッグ、背部エアーバッグ、腰臀部エアーバッグ、足部エアーバッグを有し、腰臀部エアーバッグは、仰臥した人体に対して左側の臀部と腰部を支持する左エアーバッグと右側の臀部と腰部を支持する右エアーバッグで構成され、この左エアーバッグと右エアーバッグ相互の間隔が臀部から腰部に掛けて広がる配置であり、左エアーバッグと右エアーバッグはそれぞれ独立して膨張収縮する構成であること。【選択図】図１
2010104698.tif 000002
【特許請求の範囲】
【請求項１】
空気吸排気装置の動作によってそれぞれ独立して膨張収縮する複数のエアーバッグが並
列配置され、前記複数のエアーバッグは、少なくとも肩部エアーバッグ、背部エアーバッ
グ、腰臀部エアーバッグ、足部エアーバッグを有し、前記腰臀部エアーバッグは、仰臥し
た人体に対して左側の臀部と腰部を支持するための臀部支持部と腰部支持部が形成された
左エアーバッグと、右側の臀部と腰部を支持するための臀部支持部と腰部支持部が形成さ
れた右エアーバッグで構成され、この左エアーバッグと右エアーバッグは臀部支持部相互
の間隔よりも腰部支持部相互の間隔が拡がる配置であり、前記左エアーバッグと右エアー
バッグはそれぞれ独立して膨張収縮する構成であることを特徴とするストレッチマット装
置。
【請求項２】
前記空気吸排気装置は、空気圧縮部と、この空気圧縮部で圧縮した空気を空気送出部へ
供給する空気通路を備え、前記空気送出部は、前記複数のエアーバッグへ圧縮空気を分配
する空気分配部と、前記空気圧縮部で圧縮した空気を前記空気分配部から前記複数のエア
ーバッグに選択的に供給しまた前記複数のエアーバッグから選択的に排気する切り替えバ
ルブ機能部と、前記空気圧縮部の作動と前記切り替えバルブ機能部の作動を制御する制御
部を備え、前記左エアーバッグと右エアーバッグは、その一方のエアーバッグの膨張によ
って一方側の臀部支持部と腰部支持部が膨張し、他方のエアーバッグの臀部支持部と腰部
支持部が収縮する動作が交互に行なわれる構成であることを特徴とする請求項１に記載の
ストレッチマット装置。
【請求項３】
前記左エアーバッグと右エアーバッグはそれぞれ前記腰部支持部に空気の給排気口を備
え、前記足部エアーバッグは、大腿部エアーバッグ、ふくらはぎ部エアーバッグ、及び足
首部エアーバッグで構成したことを特徴とする請求項１または請求項２に記載のストレッ
チマット装置。
【発明の詳細な説明】
【技術分野】
【０００１】
本発明は、通常の垂直方向の押し圧マッサージに加えて、ツイスト式ストレッチ運動が
行なえるストレッチマット装置に関する。
【背景技術】
【０００２】
従来、通常の垂直方向の押し圧マッサージに加えて、ひねりを与えるストレッチ運動が
行なえるストレッチマットがある（特許文献１参照）。
【０００３】
特許文献１のものは、左右肩部空気袋４１１、４１２と、背部空気袋４２と、左右腰部
空気袋４３１、４３２と、尻部空気袋４４と、足部空気袋４５を備え、これらの空気袋の
膨張収縮によって、通常の垂直方向の押し圧マッサージが得られる。そして、左肩部空気
袋４１１と右腰部空気袋４３２を同時に膨張させて左肩ひねり体位とし、右肩部空気袋４
１２と左腰部空気袋４３１を同時に膨張させて右肩ひねり体位とする。
【０００４】
この場合、尻部空気袋４４は、臀部及び大腿部（尻部）に対応し、足部空気袋４５はふ
くらはぎ部に対応するものである。また、尻部空気袋４４は、左右幅に亘る長さの１つの
空気袋であり、左右に分割されておらず、上記の左肩ひねり体位と右肩ひねり体位は、尻
部空気袋４４が寄与しない状態で、肩部空気袋４１と腰部空気袋４３の左右を対向膨張収
縮させるものである。
【特許文献１】特開２００１−１６１７６８号公報
【発明の開示】
【発明が解決しようとする課題】
【０００５】
このため、特許文献１のものは、左肩ひねりと右肩ひねりは、臀部及び大腿部（尻部）
の持ち上げを行うことなく腰から肩にかけた部分をひねるため、言葉通り「肩ひねり」の
現象であり、やや変則的ひねりが生じる。
【０００６】
このようにひねりを与えるためには、横に並置した左右肩部空気袋４１１、４１２と、
横に並置した左右腰部空気袋４３１、４３２の膨張の組み合わせが必要である。また、足
部空気袋４５はふくらはぎ部に対応して幅広い足部空気袋４５が１つ設けられているのみ
である。
【０００７】
このため、足の太もも部分、ふくらはぎ部分、及び足首部分を圧迫するようにするため
には、これらの部分に対応して袋を設ける必要があり、そのために、空気袋の数が多く必
要となり、それに空気を供給するパイプ配管も多く必要であり、この各パイプ配管へ空気
を配給する構造および制御も複雑化する問題を含んでいる。
【０００８】
本発明では、このような左肩ひねりと右肩ひねりとは異なり、特許文献１のものでは得
られない機能でもって、腰と臀部を含む部分全体を、一方側から積極的に持ち上げるよう
にして、腰の付け根に集中的に掛かるねじり負担を軽減しつつ、腰から左右の背筋部分に
至るねじりを与えたストレッチ運動が得られるようにする。このように、ツイスト式スト
レッチ運動が負担少なく行なえることにより、体の硬い人においても手軽に利用できるス
トレッチマット装置を提供するものである。
【課題を解決するための手段】
【０００９】
第１発明のストレッチマット装置は、空気吸排気装置の動作によってそれぞれ独立して
膨張収縮する複数のエアーバッグが並列配置され、前記複数のエアーバッグは、少なくと
も肩部エアーバッグ、背部エアーバッグ、腰臀部エアーバッグ、足部エアーバッグを有し
、前記腰臀部エアーバッグは、仰臥した人体に対して左側の臀部と腰部を支持するための
臀部支持部と腰部支持部が形成された左エアーバッグと、右側の臀部と腰部を支持するた
めの臀部支持部と腰部支持部が形成された右エアーバッグで構成され、この左エアーバッ
グと右エアーバッグは臀部支持部相互の間隔よりも腰部支持部相互の間隔が拡がる配置で
あり、前記左エアーバッグと右エアーバッグはそれぞれ独立して膨張収縮する構成である
ことを特徴とする。
【００１０】
第２発明は、第１発明において、前記空気吸排気装置は、空気圧縮部と、この空気圧縮
部で圧縮した空気を空気送出部へ供給する空気通路を備え、前記空気送出部は、前記複数
のエアーバッグへ圧縮空気を分配する空気分配部と、前記空気圧縮部で圧縮した空気を前
記空気分配部から前記複数のエアーバッグに選択的に供給しまた前記複数のエアーバッグ
から選択的に排気する切り替えバルブ機能部と、前記空気圧縮部の作動と前記切り替えバ
ルブ機能部の作動を制御する制御部を備え、前記左エアーバッグと右エアーバッグは、そ
の一方のエアーバッグの膨張によって一方側の臀部支持部と腰部支持部が膨張し、他方の
エアーバッグの臀部支持部と腰部支持部が収縮する動作が交互に行なわれる構成であるこ
とを特徴とする。
【００１１】
第３発明は、第１発明または第２発明において、前記左エアーバッグと右エアーバッグ
はそれぞれ腰部支持部に空気の給排気口を備え、前記足部エアーバッグは、大腿部エアー
バッグ、ふくらはぎ部エアーバッグ、及び足首部エアーバッグで構成したことを特徴とす
る。
【発明の効果】
【００１２】
従来のものは、積極的に臀部及び大腿部の持ち上げを行う構成ではなく、腰から肩にか
けた部分をひねる左肩ひねりと右肩ひねりを行なうものであるが、第１発明及び第２発明
では、仰臥した人体に対して、積極的に臀部と腰部全体を一方側から持ち上げることによ
り、腰の付け根に集中的に掛かるねじり負担が軽減されつつ、腰部から背部に掛けたツイ
ストが得られ、これを左右交互に行なうことにより、従来方式のものでは得られないツイ
スト運動が容易に得られるものとなり、体の硬い人においても手軽に利用できるものとな
る。また、このツイスト運動に伴って、その持ち上げられる腰部と臀部側の足を他方側の
足に交差させる移動によって、腰部から足部に至る運動を伴うストレッチ運動も容易に行
なえるものとなる。
【００１３】
第３発明では、上記の効果に加えて、左エアーバッグと右エアーバッグは腰部側に空気
の給排気口を備えるため、膨張は腰部側から臀部側へ進むようになり、良好なツイスト運
動が得られる。そして、左右二個のエアーバッグによってツイスト運動を行なうことがで
きるため、足部エアーバッグを大腿部エアーバッグ、ふくらはぎ部エアーバッグ、及び足
首部エアーバッグで構成した場合にも、垂直方向の押し圧のみを行なうマッサージマット
に使用していた空気吸排気装置がそのま利用でき、給気・排気用パイプも少なく、制御も
簡単となり、低コスト化できる効果がある。
【発明を実施するための最良の形態】
【００１４】
本発明のストレッチマット装置は、空気吸排気装置の動作によってそれぞれ独立して膨
張収縮する複数のエアーバッグが並列配置され、前記複数のエアーバッグは、少なくとも
肩部エアーバッグ、背部エアーバッグ、腰臀部エアーバッグ、足部エアーバッグを有し、
前記腰臀部エアーバッグは、仰臥した人体に対して左側の臀部と腰部を支持するための臀
部支持部と腰部支持部が一連に形成された左エアーバッグと、右側の臀部と腰部を支持す
るための臀部支持部と腰部支持部が一連に形成された右エアーバッグで構成され、この左
エアーバッグと右エアーバッグは臀部支持部相互の間隔よりも腰部支持部相互の間隔が拡
がる配置であり、前記左エアーバッグと右エアーバッグはそれぞれ独立して膨張収縮する
構成であり、本発明の実施例を以下に記載する。
【実施例１】
【００１５】
図１は本発明に係るストレッチマット装置とそれに使用される空気吸排気装置の機能説
明用の平面図、図２は本発明に係るストレッチマット装置の斜視図、図３は本発明に係る
ストレッチマット装置に人体が仰臥した状態を示す斜視図、図４は本発明に係る空気吸排
気装置の内部配置構成を示す平面図、図５は本発明に係る空気吸排気装置の空気送出部の
空気分配部の正面図である。
【００１６】
本発明を図に基づき説明する。図２に示すように、１はストレッチマット装置であり、
主体部として、発泡ポリウレタン等のクッション材からなるマット本体２２と、この上に
積層され内部に複数のエアーバッグ（空気室形成袋）３が形成された表面マット２と、こ
のエアーバッグ（空気室形成袋）３を膨張収縮させる空気吸排気装置５を備えている。
【００１７】
表面マット２上に人体が仰臥した場合、足側となる後端部の左右両端部には、発泡ポリ
ウレタン製のコーナ部材１５を取り付け、このコーナ部材１５、１５間に空気吸排気装置
５を配置している。また、表面マット２上に人体が仰臥した場合、頭側となる前端部の側
部には、空気吸排気装置５の運転操作用のリモートコントローラ４へのリード線１７が延
出している。１８は空気吸排気装置５への電力供給用の差し込みプラグである。
【００１８】
表面マット２は、表面マット２の上に仰臥した人体に対して、複数のエアーバッグ（空
気室形成袋）３を独立して膨張収縮させることにより、垂直方向の押し圧マッサージを行
なう。このため、表面マット２は、空気吸排気装置５の動作によって独立して膨張収縮す
る複数の空気室を形成するエアーバッグ３（図示のものは、７個のエアーバッグ３Ａ、３
Ｂ、３Ｃ、３Ｄ、３Ｅ、３Ｆ、３Ｇ）が並列配置されている。
【００１９】
本発明では、複数のエアーバッグ（空気室形成袋）３を独立して膨張収縮させることに
より行なわれる垂直方向の押し圧マッサージに加えて、表面マット２の上に仰臥した人体
に対して、健康を視野に入れたストレッチ運動が行なえるストレッチマット装置１を提供
するものである。
【００２０】
このため、複数の空気室を形成するエアーバッグ３として、図示したものは、７個のエ
アーバッグ３Ａ、３Ｂ、３Ｃ、３Ｄ、３Ｅ、３Ｆ、３Ｇで構成している。即ち、３Ａは肩
部エアーバッグ、３Ｂは背部エアーバッグ、３Ｃと３Ｄは腰臀部エアーバッグ、３Ｅ、３
Ｆ、３Ｇは足部エアーバッグであり、３Ｅは大腿部エアーバッグ、３Ｆはふくらはぎ部エ
アーバッグ、３Ｇは足首部エアーバッグである。
【００２１】
また腰臀部エアーバッグ３Ｃと３Ｄのうち、３Ｃは仰臥した人体に対して右側の臀部と
腰部を支持するための臀部支持部３ＣＰと腰部支持部３ＣＱが一連に形成された右エアー
バッグであり、３Ｄは仰臥した人体に対して左側の臀部と腰部を支持するための臀部支持
部３ＤＰと腰部支持部３ＤＱが一連に形成された左エアーバッグである。そして、左エア
ーバッグ３Ｄと右エアーバッグ３Ｃは、臀部支持部３ＣＰと３ＤＰ相互の間隔よりも、腰
部支持部３ＣＱと腰部支持部３ＤＱ相互の間隔が拡がった配置である。また、腰部支持部
３ＣＱと腰部支持部３ＤＱに、それぞれ空気入口３Ｃ１、３Ｄ１を備えている。これによ
って、左エアーバッグ３Ｄと右エアーバッグ３Ｃは、空気吸排気装置５によってそれぞれ
独立して膨張収縮する構成である。
【００２２】
空気吸排気装置５は、合成樹脂製のケース６内に、空気を吸い込んで圧縮する空気圧縮
部７と、この空気圧縮部７で圧縮した空気を消音器１０を通して空気送出部８へ供給する
空気通路９を備え、空気送出部８は、７個のエアーバッグ３Ａ、３Ｂ、３Ｃ、３Ｄ、３Ｅ
、３Ｆ、３Ｇへ圧縮空気を分配する空気分配部８Ａと、空気圧縮部７で圧縮した空気を空
気分配部８Ａを通してこの複数のエアーバッグを選択的に供給しまたこの複数のエアーバ
ッグから選択的に排気する切り替えバルブ機能部８Ｂと、空気圧縮部７の作動と切り替え
バルブ機能部８Ｂの作動を制御する制御部１１を備えている。空気吸排気装置５の動作に
よって、７個のエアーバッグ３Ａ、３Ｂ、３Ｃ、３Ｄ、３Ｅ、３Ｆ、３Ｇの膨張収縮作用
を行なう。
【００２３】
空気送出部８は、図５に示すように、８個の空気送出口８Ａ１〜８Ａ８を有する空気分
配部８Ａと、この８個の空気送出口のうちの所定のものを選択する切り替えバルブ機能部
８Ｂを備え、切り替えバルブ機能部８Ｂは電動機部８Ｃによって作動する。空気分配部８
Ａの８個の空気送出口のうちの７個の空気送出口８Ａ１〜８Ａ７には、それぞれエアーバ
ッグ３Ａ、３Ｂ、３Ｃ、３Ｄ、３Ｅ、３Ｆ、３Ｇの空気入口に接続された送気パイプ１２
Ａ、１２Ｂ、１２Ｃ、１２Ｄ、１２Ｅ、１２Ｆ、１２Ｇが接続されている。空気送出口８
Ａ１〜８Ａ７とエアーバッグ３Ａ、３Ｂ、３Ｃ、３Ｄ、３Ｅ、３Ｆ、３Ｇの空気入口を接
続する送気パイプ１２Ａ、１２Ｂ、１２Ｃ、１２Ｄ、１２Ｅ、１２Ｆ、１２Ｇは、マット
本体２２の上面に形成した配管溝に収納された構成である。
【００２４】
本発明では、空気吸排気装置５の動作によって、７個のエアーバッグ３Ａ、３Ｂ、３Ｃ
、３Ｄ、３Ｅ、３Ｆ、３Ｇを独立して膨張収縮させることにより行なわれる垂直方向の押
し圧マッサージと、表面マット２の上に仰臥した人体に対するストレッチ運動とが、リモ
ートコントローラ４に設けたスイッチ操作によって選択できる。この他に、リモートコン
トローラ４に設けたスイッチ操作によって、押し圧マッサージとストレッチ運動のＯＮ−
ＯＦＦ、押し圧マッサージとストレッチ運動の回数設定等を行なうことができる。このよ
うなスイッチ操作によって、制御部１１に組み込まれたマイクロコンピュータによって、
予め設定したプログラムに従って、エアーバッグ３Ａ、３Ｂ、３Ｃ、３Ｄ、３Ｅ、３Ｆ、
３Ｇの選択されたものが膨張収縮するよう動作する。
【００２５】
このため、垂直方向の押し圧マッサージを行なう場合は、リモートコントローラ４のス
イッチ操作に基づく制御部１１の動作によって、例えば、肩部エアーバッグ３Ａ、背部エ
アーバッグ３Ｂ、腰臀部エアーバッグ３Ｃと３Ｄ、大腿部エアーバッグ３Ｅ、ふくらはぎ
部エアーバッグ３Ｆ、足首部エアーバッグ３Ｇの順に膨張収縮が行われる。即ち、選択さ
れた作動モードに従ってステッピングモータ式の電動機部８Ｃが動作し、切り替えバルブ
機能部８Ｂが回動して、空気通路９から供給される圧縮空気が空気送出口８Ａ１〜８Ａ７
のいずれかに供給され、また空気送出口８Ａ１〜８Ａ７のいずれかが空気排出口９９に接
続される動作によって、７個のエアーバッグ３Ａ、３Ｂ、３Ｃ、３Ｄ、３Ｅ、３Ｆ、３Ｇ
が、順々に膨張収縮するものである。これは、例えば、膨張部分が３Ａから３Ｂ、３Ｂか
ら３Ｃおよび３Ｄへと移動するように、３Ａから３Ｇへ向かって膨張部分が順次移動する
関係の膨張収縮作用をすることにより、表面マット２の上に仰臥した人体に対してマッサ
ージ作用が行なわれる。なお、空気排出口９９からの排気音を減少するために、排気用消
音器１００が取り付けられている。
【００２６】
また、ストレッチ運動を行なう場合は、リモートコントローラ４のスイッチ操作に基づ
く制御部１１の動作によって、腰臀部エアーバッグ３Ｃと３Ｄが交互に膨張収縮する。即
ち、選択された作動モードに従ってステッピングモータ式の電動機部８Ｃが動作し、切り
替えバルブ機能部８Ｂが回動して、空気通路９から供給される圧縮空気が、空気送出口８
Ａ３から送気パイプ１２Ｃを通り、右エアーバッグ３Ｃの空気入口３Ｃ１から流入して右
エアーバッグ３Ｃが膨張し、また、空気送出口８Ａ４が空気排出口９９に接続される動作
によって、左エアーバッグ３Ｄの空気は、左エアーバッグ３Ｄの空気入口３Ｄ１に接続し
た送気パイプ１２Ｄを通り、空気送出口８Ａ４から空気排出口９９へ排出され、左エアー
バッグ３Ｄが収縮状態となる。前記選択された作動モードは、制御部１１の表示部１１Ａ
のランプ表示と液晶等の表示によって視認できる。
【００２７】
これによって、表面マット２の上に仰臥した人体の右側の臀部と腰部が左側の腰部側へ
向けて持ち上げられることとなり、腰部から背部に掛けたツイストが得られる。この場合
、左エアーバッグ３Ｄと右エアーバッグ３Ｃは、臀部支持部３ＣＰと３ＤＰ相互の間隔よ
りも、腰部支持部３ＣＱと腰部支持部３ＤＱ相互の間隔が拡がる配置であり、これによっ
て、左エアーバッグ３Ｄと右エアーバッグ３Ｃ相互の間隔が、仰臥した人体の臀部から腰
部に掛けて拡がる配置となる。このため、人体の腰部は外側寄りから持ち上げられるよう
になり、人体の腰の付け根に集中的に掛かるねじり負担が軽減されつつ、人体の腰部から
背部に掛けたツイストが得られる。
【００２８】
次に、上記同様に、選択された作動モードに従ってステッピングモータ式の電動機部８
Ｃが動作し、切り替えバルブ機能部８Ｂが回動して、空気通路９から供給される圧縮空気
が、空気送出口８Ａ４から送気パイプ１２Ｄを通り、左エアーバッグ３Ｄの空気入口３Ｄ
１から流入して左エアーバッグ３Ｄが膨張し、また、空気送出口８Ａ３が空気排出口９９
に接続される動作によって、右エアーバッグ３Ｃの空気は、右エアーバッグ３Ｃの空気入
口３Ｃ１に接続した送気パイプ１２Ｃを通り、空気送出口８Ａ３から空気排出口９９へ排
出され、右エアーバッグ３Ｃが収縮状態となる。
【００２９】
これによって、表面マット２の上に仰臥した人体の左側の臀部と腰部が右側の腰部側へ
向けて持ち上げられることとなり、腰部から背部に掛けたツイストが得られる。この場合
、左エアーバッグ３Ｄと右エアーバッグ３Ｃは、臀部支持部３ＣＰと３ＤＰ相互の間隔よ
りも、腰部支持部３ＣＱと腰部支持部３ＤＱ相互の間隔が拡がる配置であり、これによっ
て、左エアーバッグ３Ｄと右エアーバッグ３Ｃ相互の間隔が、仰臥した人体の臀部から腰
部に掛けて左右の間隔が拡がる配置となる。このため、人体の腰部は外側寄りから持ち上
げられるようになり、人体の腰の付け根に集中的に掛かるねじり負担を軽減しつつ、人体
の腰部から背部に掛けたツイストが得られる。このように、右エアーバッグ３Ｃと左エア
ーバッグ３Ｄが交互に膨張収縮を繰り返す動作が行なわれる。
【００３０】
このように、右エアーバッグ３Ｃと左エアーバッグ３Ｄが交互に膨張収縮を繰り返すこ
とにより、従来方式のものでは得られないツイスト運動が容易に得られるものとなり、体
の硬い人においても手軽に利用できるものとなる。また、このツイスト運動に伴って、そ
の持ち上げられる腰部及び臀部側の足を他方側の足に交差させる移動、または他方側の足
を乗り越えさせる移動が容易となり、これによって、腰部から足部に至る運動を伴うスト
レッチ運動も容易に行なえるものとなる。
【００３１】
また、左エアーバッグ３Ｄと右エアーバッグ３Ｃは、それぞれ相互間隔が拡がった腰部
側、即ち、腰部支持部３ＣＱと腰部支持部３ＤＱに空気入口３Ｃ１、３Ｄ１を備えるため
、表面マット２の上に人体が仰臥した状態において、人体の体重によってエアーバッグは
押された状態にあり、収縮している左エアーバッグ３Ｄまたは右エアーバッグ３Ｃへ空気
が送り込まれるとき、主として腰部側から膨張が始まることとなり、臀部に先駆けて腰部
の持ち上げがなされるようになり、一連の動作によって腰部、臀部、背部に至るツイスト
が良好に行なえるものとなる。このように腰部側から臀部側に掛けた膨張を行わせるため
には、空気入口３Ｃ１、３Ｄ１を腰部支持部３ＣＱと腰部支持部３ＤＱの上端部付近（臀
部支持部３ＣＰ、３ＤＰから遠ざかる位置）に配置することが好ましい。
【００３２】
また、足部エアーバッグは、大腿部エアーバッグ３Ｅ、ふくらはぎ部エアーバッグ３Ｆ
、足首部エアーバッグ３Ｇで構成した場合にも、垂直方向の押し圧のみを行なうマッサー
ジマットに使用していた空気吸排気装置５がそのまま利用できるものとなる。即ち、背部
エアーバッグ３Ｂと大腿部エアーバッグ３Ｅの間に、左エアーバッグ３Ｄと右エアーバッ
グ３Ｃをエアーバッグ３Ｅ〜３Ｇと同様の並列配列として、垂直方向の押し圧のみを行な
うマッサージマットに使用していた空気吸排気装置５と、７個のエアーバッグ３Ａ、３Ｂ
、３Ｃ、３Ｄ、３Ｅ、３Ｆ、３Ｇへ接続した７本の送気パイプ１２Ａ、１２Ｂ、１２Ｃ、
１２Ｄ、１２Ｅ、１２Ｆ、１２Ｇ方式が利用できるものとなる。このため、給気・排気用
の送気パイプも少なく、制御も簡単になり、低コスト化できる効果がある。
【産業上の利用可能性】
【００３３】
本発明は上記実施例に示した構成に限定されず、種々の形態のストレッチマット装置に
適用できるものであり、本発明の技術範囲において種々の形態を包含するものである。
【図面の簡単な説明】
【００３４】
【図１】本発明に係るストレッチマット装置とそれに使用される空気吸排気装置の機能説明用の平面図である。
【図２】本発明に係るストレッチマット装置の斜視図である。
【図３】本発明に係るストレッチマット装置に人体が仰臥した状態を示す斜視図である。
【図４】本発明に係る空気吸排気装置の内部配置構成を示す平面図である。
【図５】本発明に係る空気吸排気装置の空気送出部の空気分配部の正面図である。
【符号の説明】
【００３５】
１・・・・ストレッチマット装置
２・・・・表面マット
３・・・・空気室
３Ａ〜３Ｇ・・・・エアーバッグ
３Ａ・・・肩部エアーバッグ
３Ｂ・・・背部エアーバッグ
３Ｃ・・・右エアーバッグ（腰臀部エアーバッグ）
３ＣＰ・・臀部支持部
３ＣＱ・・腰部支持部
３Ｄ・・・左エアーバッグ（腰臀部エアーバッグ）
３ＤＰ・・臀部支持部
３ＤＱ・・腰部支持部
３Ｅ・・・大腿部エアーバッグ（足部エアーバッグ）
３Ｆ・・・ふくらはぎ部エアーバッグ（足部エアーバッグ）
３Ｇ・・・足首部エアーバッグ（足部エアーバッグ）
４・・・・リモートコントローラ
５・・・・空気吸排気装置
６・・・・ケース
７・・・・空気圧縮部
７Ａ・・・空気吸入口
８・・・・空気送出部
８Ａ・・・空気分配部
８Ａ１〜８Ａ８・・・空気送出口
８Ｂ・・・切り替えバルブ機能部
８Ｃ・・・電動機部
９・・・・空気通路
１０・・・消音器
１１・・・制御部
１２Ａ〜１２Ｇ・・・送気パイプ
【図１】
2010104698.tif 000003
【図２】
2010104698.tif 000004
【図３】
2010104698.tif 000005
【図４】
2010104698.tif 000006
【図５】
2010104698.tif 000007